(57)【要約】  吸収性物品で引上げ及び締付けに使用するのに好適な二重締結装置。締結装置は、好ましくは、第一の締結部材及び第二の締結部材を含む。
2005510295.tif 000002
【特許請求の範囲】
【請求項１】
第一の腰部区域と、第二の腰部区域と、前記第一の腰部区域及び第二の腰部区域を相互連結する股部区域と、物品内側表面と、物品外側表面とを有する吸収性物品であって、前記吸収性物品が：
トップシートと、
バックシートと、
前記第一の腰部区域の少なくとも一部を前記第二の腰部区域の少なくとも一部に接合させる締結装置であって、前記締結装置が少なくとも１つの第一の締結部材と少なくとも１つの第二の締結部材とを含む締結装置とを備え、
前記第一の締結部材が前記第一の腰部区域に接合されており、前記第一の締結部材が：
少なくとも１つの第一のタブであって、第一のタブの内側表面と、第一のタブの外側表面と、前記第一のタブの内側表面上の第一のタブの締結要素とを含む第一のタブと、
少なくとも１つの第二のタブであって、第二のタブの内側表面と、第二のタブの外側表面と、前記第二のタブの内側表面上の第二のタブの締結要素とを含む第二のタブと、
前記第一のタブの外側表面と前記第二のタブの内側表面との間の開放可能なタブ対タブ結合であって、前記開放可能なタブ対タブ結合が開放荷重を有する開放可能なタブ対タブ結合とを含み、
少なくとも１つの第二の締結部材が前記物品の外側表面上の前記第二の腰部区域に接合され、
第一のタブの締結要素及び第二のタブの締結要素のそれぞれが、前記第二の締結部材と操作可能に固定する締結係合を提供するように構成されている吸収性物品。
【請求項２】
前記締結装置が、前記物品の内側表面上の少なくとも１つの格納されたランディング領域と、前記格納されたランディング領域と前記第一の締結部材との間の開放可能な格納締結結合とを含み、前記開放可能な格納締結結合が、前記開放可能なタブ対タブ結合の開放荷重より小さい開放荷重を有する、請求項１の吸収性物品。
【請求項３】
前記第一のタブの締結要素と前記第二の締結部材との間の第一の開放可能な締結結合が、前記開放可能なタブ対タブ結合の開放荷重より大きい開放荷重を有する、請求項１又は２に記載の吸収性物品。
【請求項４】
前記第二のタブの締結要素と前記第二の締結部材との間の第二の開放可能な締結結合が、前記第一の開放可能な締結結合の開放荷重以上の開放荷重を有する、請求項１〜３のいずれか一項に記載の吸収性物品。
【請求項５】
前記開放可能な格納締結結合、前記開放可能に組み合わされるタブ締結結合、前記第一の開放可能な締結結合、及び前記第二の開放可能な締結結合が、接着剤、粘着剤、フック材料、ループ材料、及びこれらの組合せを含む群から選択される、請求項１〜４のいずれか一項に記載の吸収性物品。
【請求項６】
前記第一の締結部材が把持手段を含む、請求項１〜５のいずれか一項に記載の吸収性物品。
【請求項７】
前記第一のタブ締結要素と付着ランディング領域とが事前締結されている、請求項１〜６のいずれか一項に記載の物品。
【請求項８】
前記第一のタブと前記第二の締結部材の一部とが、永久的に事前締結されてプルアップを形成する、請求項１〜７のいずれか一項に記載の物品。
【請求項９】
前記第一のタブが第一のタブ長さを有し、前記第二のタブが第二のタブ長さを有し、前記第二のタブ長さが前記第一のタブ長さより長い、請求項１〜８のいずれか一項に記載の吸収性物品。
【請求項１０】
前記第二のタブ長さが前記第一のタブ長さに等しい、請求項１〜９のいずれか一項に記載の吸収性物品。
【発明の詳細な説明】
【技術分野】
【０００１】
本発明は、おむつ、トレーニングパンツ、及びプルアップなどの、吸収性物品用の改良された締結装置に関する。特に、本発明は、改良された装着の容易さと適合との組合せで使い捨て吸収性物品の前部を物品の後部に接合するための、改良された締結具に関する。
【背景技術】
【０００２】
使い捨ておむつ及びトレーニングパンツなどの従来型吸収性物品は、通常、物品の指定された腰バンド区域を着用者の腰部回りに固着させる、接着性又は機械的な締結具を使用してきた。加えて、腰部弾性体、脚部弾性体、及び伸縮性外側カバーの様々な構成が、着用者の身体輪郭の周りで物品を作り上げて維持するのを助けるために、吸収性物品上で使用されてきた。
【発明の開示】
【発明が解決しようとする課題】
【０００３】
上述したもののような従来型吸収性物品は、望ましいレベルの信頼できる適合を提供しておらず、着用中に過度の弛み及び垂れを生じる傾向があった。物品は、望ましいレベルの適合、快適さ、及び使用の容易さを十分に維持していない。望ましい適合をよりよく維持するために衣類がより強力な締結具を有して構築された場合には、望ましくない皮膚の痕跡及び／又は物品取り外しの難しさが生じることもあった。その結果として、より一貫した適合と、垂れ及び弛みに対するより大きな抵抗と、物品の装着及び取り外しのさらなる容易さとを有する衣類が、引き続いて必要とされている。それ故に、改良された物品締結装置を提供することが本発明の一目的である。
【課題を解決するための手段】
【０００４】
第一の腰部区域と、第二の腰部区域と、股部区域とを有する吸収性物品。股部区域は、第一の腰部区域と第二の腰部区域とを相互連結する。吸収性物品は、物品内側表面、物品外側表面、トップシート、バックシート、及びトップシートとバックシートとの間に配置された吸収性コア、並びに締結装置を含む。締結装置は、第一の腰部区域の少なくとも一部を第二の腰部区域の少なくとも一部に接合させる。締結装置は、少なくとも１つの第一の締結部材と、少なくとも１つの第二の締結部材とを含む。第一の締結部材は第一の腰部区域に接合される。第一の締結部材は少なくとも１つの第一のタブを含む。第一のタブは、第一のタブの内側表面と、第一のタブの外側表面と、第一のタブの内側表面上の第一のタブの締結要素と、少なくとも１つの第二のタブとを含む。第二のタブは、第二のタブの内側表面と、第二のタブの外側表面と、第二のタブの内側表面上の第二のタブの締結要素とを含む。締結装置は、物品使用者が第一のタブなどの締結装置の１つの要素を掴んで、第一の腰部区域と第二の腰部区域とを少なくとも２つの場所で連結できるように設計される。これは、締結装置要素間の結合強度を操作することで達成される。締結装置は、第一のタブの外側表面と第二のタブの内側表面との間の、開放可能に組み合わされたタブ締結の結合強度を提供する手段を含む。第二の締結部材は、物品の外側表面上の第二の腰部区域に結合して、少なくとも１つの付着ランディング領域を含む。第一のタブの締結要素及び第二のタブの締結要素のそれぞれは、付着ランディング領域と操作可能に固定する締結係合を提供するように構成されている。締結装置は、物品の内側表面上に少なくとも１つの格納されたランディング領域と、格納されたランディング領域と第一の締結部材との間に開放可能な格納締結の結合強度を提供する手段とを含むことができる。開放可能な格納締結の結合強度は、開放可能に組み合わされたタブ締結の結合強度より弱くすることができる。締結装置は、開放可能に組み合わされたタブ締結の結合強度を提供する手段より強い、第一の開放可能な締結結合強度を第一のタブの締結要素と付着ランディング領域との間に提供する手段を含むことができる。第二のタブの締結要素と付着ランディング領域との間に第二の開放可能な締結結合強度を提供する手段は、第一の開放可能な締結結合強度を提供する手段以上であることができる。
【発明を実施するための最良の形態】
【０００５】
本明細書は、発明とみなす点を特定して指摘し明確に請求する請求項にて結論としているが、本発明の以下の詳細な説明を読んで添付図面を検討することにより、本発明をより容易に理解できると考えられる。
【０００６】
本発明は、引き上げて締める二重締結具の締結装置を提供する。本発明の様々な態様が、図１に示すおむつ２０などの吸収性物品によって本明細書で説明される。しかしながら、本発明は、使い捨て吸収性トレーニングパンツ、失禁用ブリーフ、失禁用下着、及び本明細書で開示する特性を有する締結装置が望ましいその他の物品などの、他の着用可能物品の締結にも使用できることが容易に明白である。
【０００７】
（定義）
本明細書で使用する次の用語は、次の意味を有する。
【０００８】
「吸収性物品」とは、液体を吸収して封じ込める装置を指し、より具体的には、着用者の身体に対して又はそれに近接して配置されて、身体から排泄される様々な排出物を吸収して封じ込める装置を指す。
【０００９】
「使い捨て」は、一般に洗濯又は他の方法で復元若しくは再使用されることを意図しない（すなわち、１回の使用後に廃棄、及び好ましくはリサイクル、堆肥化、又はさもなければ環境に適合する方法で処理されることを意図する）物品を説明するために本明細書で用いる。
【００１０】
「配置される」は、ある要素が他の要素と共に一体構造体として、又は他の要素に接合した別個の要素として、特定の場所又は位置で形成される（接合して位置を定められる）ことを意味するために使用する。
【００１１】
「一体型」吸収性物品とは、共に合体した別個の部分から形成されて調和した統一体を形成し、別個のホルダ及びライナーのような別個の操作部分を必要としない吸収性物品を指す。
【００１２】
「おむつ」とは、乳幼児及び失禁症者により胴体下部の周りで一般に着用される吸収性物品を指す。
【００１３】
「不浸透性」は、一般に、１８ｇ／ｃｍ２（０．１４ｌｂ／ｉｎ２）以下の圧力で物品の全Ｚ方向厚さを貫通する流体の浸透性がない物品及び／又は要素を指す。好ましくは、不浸透性物品又は要素は、３５ｇ／ｃｍ２（０．５ｌｂ／ｉｎ２）以下の圧力で流体の浸透性がない。より好ましくは、不浸透性物品又は要素は、７０ｇ／ｃｍ２（１．０ｌｂ／ｉｎ２）以下の圧力で流体の浸透性がない。
【００１４】
「動作可能に関連付けられた」は、一般に単一要素として機能するように直接的又は間接的に共に接合された要素を指す。
【００１５】
「固着した」又は「接合した」は、１つの要素を他の要素に直接付着させることによりその要素が他の要素に直接固定される構成と、１つの要素を中間部材に付着させて次に中間部材を他の要素に付着させることによりその要素が他の要素に間接的に固定される構成とを包含する。
【００１６】
「直接的に接合した」は、要素を接合する手段（例えば接着剤）を除いて、その間に接合したいかなる中間要素もなく、相互に接合した要素を指す。
【００１７】
「間接的に接合した」は、接合手段以外の要素（単数又は複数）によって相互に接合した要素を指す。
【００１８】
「目標外周」は、使用中、物品が着用者の周りで装着されて固定されるように設計された位置での、着用者の腰部の外周である。
【００１９】
「含む」及び「含んでいる」は、次に続くもの、例えば構成要素の存在を指定するオープンエンドの用語であるが、当技術分野で既知の、又は本明細書で開示した、他の機構、要素、工程、又は構成要素の存在を排除しない。
【００２０】
「係合」とは、２つの締結要素が締結される方法を指す。
【００２１】
「開放可能な結合」とは、その物品の使用中に分離することができる、２つ以上の物品構成要素間の一時的である可能性がある連結を指す。
【００２２】
「結合強度」又は「開放荷重」とは、物品の正常な使用に一致する期間内及び方法で、開放可能な結合を分離するのに必要な力の最小量を指す。
【００２３】
「締結した」とは、物品の正常な使用の間に予定される方法に一致する方法による、２つの締結要素の適切な連結又は固着を指す。
【００２４】
図１は、平らに広げられて収縮していない（すなわち、弾性に起因する収縮がない）状態のおむつ２０に固着された、締結装置４１の平面図である。構造の一部を切り欠いて、その下のおむつ２０の構造をより明瞭に示している。着用者に接触するおむつ２０の部分が、読者を向いている。おむつ２０は、長手方向軸線１００及び横方向軸線１１０を含んでもよい。おむつ２０の１つの端部分は、おむつ２０の第一の腰部区域３６として構成されている。その反対側の端部分は、おむつ２０の第二の腰部区域３８として構成されている。おむつ２０の中間部分は、第一の腰部区域３６と第二の腰部区域３８との間を長手方向に延びる、股部区域３７として構成されている。腰部区域３６及び３８は、着用者の腰の周りで縮んで適合と収容性の改善をもたらすように、弾性要素を含んでもよい。股部区域３７は、おむつ２０を着用した時に、ほぼ着用者の脚の間に配置されるおむつ２０の部分である。
【００２５】
図１のおむつ２０のシャーシ２２は、おむつ２０の本体を含む。シャーシ２２は、液体透過性のトップシート２４及び／又は液体不透過性のバックシート２６を含む外側カバーを備える。シャーシは、トップシート２４とバックシート２６との間に入れられた、吸収性コア２８の一部を含んでもよい。シャーシはまた、トップシート２４とバックシート２６との間に入れられた、吸収性コア２８の大部分又は全部を含んでもよい。一体型吸収性物品の場合、シャーシ２２は、複合おむつ構造体を形成するように付加された他の機構と共に、おむつの主要構造体を含む。トップシート２４とバックシート２６と吸収性コア２８は、様々な周知の構成に組み立ててもよいが、好ましいおむつの構成が、１９７５年１月１４日にブエル（Kenneth B.Buell）に対して発行された「使い捨ておむつの収縮可能な側部分（Contractible Side Portions for Disposable Diaper）」という名称の米国特許第３，８６０，００３号；１９９２年９月９日にブエルに対して発行された「事前配置された弾力性曲げヒンジを有する動弾性腰部機構を持つ吸収性物品（Absorbent Article with Dynamic Elastic Waist Feature Having a Predisposed Resilient Flexural Hinge）」という名称の米国特許第５，１５１，０９２号；１９９３年６月２２日にブエルに対して発行された「事前配置された弾力性曲げヒンジを有する動弾性腰部機構を持つ吸収性物品（Absorbent Article with Dynamic Elastic Waist Feature Having a Predisposed Resilient Flexural Hinge）」という名称の米国特許第５，２２１，２７４号；１９９６年９月１０日にロー（Roe）らに対して発行された「複数ゾーン構造の弾性様フィルムウェブの延伸性腰部機構を有する吸収性物品（Absorbent Article With Multiple Zone Structural Elastic-Like Film Web Extensible Waist Feature）」という名称の米国特許第５，５５４，１４５号；１９９６年１０月２９日に
ブエルらに対して発行された「使い捨てプルオンパンツ（Disposable Pull-On Pant）」という名称の米国特許第５，５６９，２３４号；１９９６年１２月３日にニース（Nease）らに対して発行された「吸収性物品用サイドパネルを製造するためのゼロスクラップ方法（Zero Scrap Method For Manufacturing Side Panels For Absorbent Articles）」という名称の米国特許第５，５８０，４１１号；及び１９９９年１２月２１日にローブルス（Robles）らに対して発行された「多方向延伸性サイドパネルを有する吸収性物品（Absorbent Article With Multi-Directional Extensible Side Panels）」という名称の米国特許第６，００４，３０６号に概ね記載されており、そのそれぞれを参考として本明細書に組み入れる。
【００２６】
図１のトップシート２４は、全体的に又は部分的に伸縮性とするか又は短縮して、トップシート２４と吸収性コア２８との間に空隙空間を形成することができる。伸縮性の又は短縮したトップシートを含む代表的な構造が、１９９０年１月９日にデマレーズ（Des Marais）らに対して発行された「弾性ストランドを有する吸収性物品（Absorbent Article Having Elastic Strands）」という名称の米国特許第４，８９２，５３６号；１９９１年２月５日にフリーランド（Freeland）に対して発行された「排出物隔離のために弾性ライナーを備える吸収性物品（Absorbent Article With Elastic Liner For Waste Material Isolation）」という名称の米国特許第４，９９０，１４７号；１９９１年８月６日にアレン（Allen）らに対して発行された「弾性的伸長性のトップシートを有する使い捨て吸収性物品（Disposable Absorbent Article Having Elastically Extensible Topsheet）」という名称の米国特許第５，０３７，４１６号；及び１９９３年１２月１４日にフリーランドらに対して発行された「使い捨て吸収性物品用の三分割トップシート及びその三分割トップシートを有する使い捨て吸収性物品（Trisection Topsheets For Disposable Absorbent Articles and Disposable Absorbent Articles Having Such Trisection Topsheets）」という名称の米国特許第５，２６９，７７５号にさらに詳細に説明されており、そのそれぞれを参考として本明細書に組み入れる。
【００２７】
図１の吸収性コア２８は、一般に、トップシート２４とバックシート２６との間に配置されている。吸収性コア２８は、概ね圧縮性であって、体型に合いやすく、着用者の皮膚に対して非刺激性であり、及び尿及び他のある種の身体滲出物などの液体を吸収して保持できるものであれば、いかなる吸収性材料でも含むことができる。吸収性コア２８は、エアフェルトと一般に呼ばれる粉砕木材パルプなどの、使い捨ておむつ及び他の吸収性物品に普通に使用される、種々多様な液体吸収性材料を含むことができる。他の好適な吸収性材料の例としては、捲縮セルロース詰め物、コフォームを含むメルトブローポリマー、化学的に剛化、改質、若しくは架橋されたセルロース繊維、ティッシュラップとティッシュラミネートとを含むティッシュ、吸収性発泡体、吸収性スポンジ、超吸収性ポリマー、吸収性ゲル材料、又は他のいかなる既知の吸収材料、又はそれらの材料の組合せなども挙げられる。
【００２８】
吸収性組立品として使用される代表的な吸収性構造体が、１９８６年９月９日にウェイスマン（Weisman）らに対して発行された「高密度吸収性構造物（High-Density Absorbent Structures）」という名称の米国特許第４，６１０，６７８号；１９８７年６月１６日にウェイスマンらに対して発行された「二重層コアを有する吸収性物品（Absorbent Articles With Dual-Layered Cores）」という名称の米国特許第４，６７３，４０２号；１９８９年５月３０日にアレメニー（Alemany）らに対して発行された「低密度及び低坪量の獲得帯を有する高密度吸収性部材（High Density Absorbent Members Having Lower Density and Lower Basis Weight Acquisition Zones）」という名称の米国特許第４，８３４，７３５号；１９８９年１２月１９日にアングスタッド（Angstadt）に対して発行された「除塵層を有する吸収性コア（Absorbent Core Having A Dusting Layer）」という名称の米国特許第４，８８８，２３１号；１９９２年８月１１日にヘロン（Herron）らに対して発行された「個別化されたポリカルボン酸架橋木材パルプセルロース繊維を含有する吸収性構造（Absorbent Structure Containing Individualized,Polycarboxylic Acid Crosslinked Wood Pulp Cellulose Fibers）」という名称の米国特許第５，１３７，５３７号；１９９２年９月１５日にヤング（Young）らに対して発行された「失禁管理用の高効率吸収性物品（High Efficiency Absorbent Articles For Incontinence Management）」という名称の米国特許第５，１４７，３４５号；１９９４年８月３０日にロー（Roe）に対して発行された「低粘性便物質用の使い捨て吸収性物品（Disposable Absorbent Article For Low-Viscosity Fecal Material）」という名称の米国特許第５，３４２，３３８号；１９９３年１１月９日にデマレーズらに対して発行された「水性体液用の吸収性発泡材料とそのような材料を含む吸収性物品（Absorbent Foam Materials For Aqueous Body Fluids and Absorbent Articles Containing Such Materials）」という名称の米国特許第５，２６０，３４５号；１９９５年２月７日にダイヤー（Dyer）らに対して発行された「水性体液用の湿潤まで薄い吸収性発泡材料及びその材料を製造するプロセス（Thin-Until-Wet Absorbent Foam Materials For Aqueous Body Fluids And Process For Making Same）」という名称の米国特許第５，３８７，２０７号；１９９５年３月１４日にラボン（LaVon）らに対して発行された「発泡性吸収材料からなる水性体液用スリット付き吸収性部材（Slitted Absorbent Members For Aqueous Body Fluids Formed Of Expandable Absorbent Materials）」という名称の米国特許第５，３９７，３１６号；及び１９９７年７月２２日にデマレーズらに対して発行された「非常に高い水対油比を有する高不連続相エマルジョンから製造された水性流体用の吸収性発泡材料（Absorbent Foam Materials For Aqueous Fluids Made From high Internal Phase Emulsions Having Very High Water-To-Oil Ratios）」という名称の米国特許第５，６２５，２２２号に記載されている。これら特許のそれぞれを参考として本明細書に組み入れる。
【００２９】
図１のバックシート２６は、一般に、バックシート２６とトップシート２４との間の吸収性コア２８と共に配置されるおむつ２０の部分である。バックシート２６は、トップシート２４と接合してもよい。バックシート２６は、吸収性コア２８に吸収されて物品２０内に収容された排出物が、おむつ２０と接触することがあるベッドシーツ及び下着などの他の外部物品を汚すことを防止する。好ましい実施形態では、バックシート２６は、液体（例えば尿）に対して実質的に不透過性であり、不織布と厚さ約０．０１２ｍｍ（０．５ミル）〜約０．０５１ｍｍ（２．０ミル）の熱可塑性フィルムなどの薄いプラスチックフィルムとの積層体を含む。好適なバックシートフィルムとしては、インディアナ州テレホート（Terre Haute,IN）のトレドガーインダストリー社（Tredegar Industries Inc.）により製造され、Ｘ１５３０６、Ｘ１０９６２、及びＸ１０９６４の商品名で販売されるものが挙げられる。他の好適なバックシート材料は、おむつ２０から蒸気を逃すと同時に、排出物がバックシート２６を通過するのを防止する通気性材料を含んでもよい。代表的な通気性材料としては、織布ウェブ、不織布ウェブ、フィルム被覆不織布ウェブのような複合材料、及びＥＳＰＯＩＲ  ＮＯの名称で日本の三井東圧株式会社（Mitsui Toatsu Co.）により、またＥＸＸＡＩＲＥの名称でテキサス州ベイシティー（Bay City,TX）のエクソンケミカル社（EXXON Chemical Co.）により製造されるような微小多孔性フィルムなどがある。ポリマーブレンドを含む好適な通気性複合材料が、ＨＹＴＲＥＬブレンドＰ１８−３０９７の名称でオハイオ州シンシナティ（Cincinnati,OH）のクロペイ社（Clopay Corporation）から入手可能である。そのような通気性複合材料が、１９９５年６月２２日にデュポン（E.I.DuPont）の名で公開されたＰＣＴ国際公開特許ＷＯ９５／１６７４６、及び１９９６年１１月６日にキュロ（Curro）の名で出願され同時係属中の米国特許出願番号０８／７４４，４８７にさらに詳細に記載されている。不織布ウェブ及び開口形成された成形フィルムを含む他の通気性バックシートが、１９９６年１１月５日にドブリン（Dobrin）らに対して発行された米国特許第５，５７１，０９６号に記載されている。これら文献のそれぞれを参考として本明細書に組み入れる。
【００３０】
おむつ２０はまた、レッグカフス、前及び後耳パネル、ウエストキャップ機構、及び弾性部などを含む当技術分野で既知の他の機構を含んで、よりよい適合性、収容性、及び美的特質を提供することができる。そのような追加の機構は、当技術分野で周知であって、米国特許第３，８６０，００３号、及び第５，１５１，０９２号に説明されており、これらを参考として本明細書に組み入れる。
【００３１】
さらに、本発明は他のおむつの実施形態にも好適と考えられ、これらには、２０００年１月４日に発行された「粘性流体の排泄物を処理する物品（Viscous Fluid Bodily Waste Management Article）」という名称の米国特許第６，０１０，４９１号；１９９９年２月２３日に発行された「シャーシとコアの改良によるおむつの適合と適合維持（Fit And Sustained Fit Of A Diaper Via Chassis And Core Modifications）」という名称の米国特許第５，８７３，８７０号；１９９９年４月２７日に発行された「交換型吸収性物品と共に使用するエラストマーサイドパネル（Elastomeric Side Panel for Use with Convertible Absorbent Articles）」という名称の米国特許第５，８９７，５４５号；１９９９年５月１８日に発行された「構造的弾性様フィルムウェブ腰部ベルトを備えた吸収性物品（Absorbent Article With Structural Elastic-Like Film Web Waist Belt）」という名称の米国特許第５，９０４，６７３号；１９９９年８月３日に発行された「使い捨てプルオンパンツ（Disposable Pull On Pant）」という名称の米国特許第５，９３１，８２７号；１９９９年１１月２日に発行された「マクロ粒子貯蔵構造を有する吸収性物品（Absorbent Article With Macro-Particulate Storage Structure）」という名称の米国特許第５，９７７，４３０号；及び１９９９年１２月２１日に発行された「多方向延伸性サイドパネルを有する吸収性物品（Absorbent Article With Multi-Directional Extensible Side Panels）」という名称の米国特許第６，００４，３０６号に開示されるものが挙げられ、これらの開示を参考として本明細書に組み入れる。
【００３２】
おむつ２０を着用者周りの適切な位置に保持するために、第一の腰部区域３６の少なくとも一部が、第二の腰部区域３８の少なくとも一部に締結装置４１により固着され、好ましくは、図２に示すように、脚部開口部１０及び物品の腰部３５を形成する。締結されると、締結装置４１は、物品腰部３５の周りで張力を支える。締結装置は、物品使用者が第一のタブなどの締結装置の１つの要素を掴んで、第一の腰部区域３６を第二の腰部区域３８に少なくとも２つの場所で連結できるように設計される。これは、締結装置要素間の結合強度を操作することで達成される。
【００３３】
図１に示すように、締結装置４１は、少なくとも１つの第一の締結部材４２と、少なくとも１つの格納されたランディング領域４５と、少なくとも１つの第二の締結部材４４とを含むことができる。締結装置４１及びそのいかなる構成要素も、そのような使用に好適ないかなる材料でも含むことができ、それにはプラスチック、フィルム、発泡体、不織布ウェブ、織布ウェブ、紙、積層体、繊維強化プラスチックなど、又はこれらの組合せが挙げられるが、これらに限定されない。締結装置を作り上げる材料は、可撓性であるのが好ましい。可撓性は、締結装置４１が身体形状に順応し、したがって締結装置４１が着用者の皮膚を刺激する又は傷つける可能性を低減できるように設計される。
【００３４】
図２は、おむつとしての吸収性物品２０の斜視図である。物品２０は、物品２０の着用時に示すものに似た輪郭で提示されている。バックシート２６が、物品の外側表面２６１を形成する。第一の腰部区域３６及び第二の腰部区域３８は、着用者の腰部周りで着用された時に、着用者の腰部を取り巻いて物品腰部３５及び脚部開口部１０を形成する、おむつ２０のその部分を概ね含む。図２は、任意選択的な格納場所から離されて第二の締結部材４４に固着される前の締結部材４２を前面に示す。図２はまた、目に見える２つの構成要素を含む第二の締結部材４４を示す。第一の付着ランディング領域９１１は、第一のタブの締結要素５４と締結するように設計され、及び第二の付着ランディング領域９１２は、第二のタブの締結要素６４と締結するように設計される。あるいは、第一のタブの締結要素５４は、第二のタブの締結要素６４と一緒に、又はその代わりに、第二の付着ランディング領域９１２に締結されてもよい。
【００３５】
第一の締結部材４２は、図１に示すように、第一の腰部区域３６に接合されるように設計される。第一の締結部材４２は、当技術分野で既知の方法で、第一の腰部区域３６に接合、操作可能に連結、又は固着させることができる。第一の締結部材４２は、どのような大きさ及び／又は形状であってもよく、好適ないかなる材料で作られてもよい。第一の締結部材４２は、任意選択的に、第一の腰部区域３６から横方向軸線１１０の方向へ延長部を形成してもよい。第一の締結部材４２のどの部分も、弾性でも、非弾性でも、延伸性でも、又は非延伸性であってもよい。好ましくは、弾性又は延伸性の方向は、横方向軸線１１０の方向である。第一の締結部材４２は、当技術分野で既知のいかなる好適な材料で構成されてもよい。例えば、第一の締結部材４２の材料は、スパンボンド不織布、スパンボンド−メルトブローン−スパンボンド布、くびれさせて結合させた積層布材料、伸張させて結合させた積層布材料など、並びに当業者に既知のこれらの組合せを含む、フィルム又は不織布で構成することができる。第一の締結部材４２の材料は、少なくとも１つの第一のタブ５１と、少なくとも１つの第二のタブ６１を含むことができる。
【００３６】
第一の締結部材４２は、図１の左側では格納位置で示される。図１の右側に示される第一の締結部材４２は、格納されておらず、横方向１１０に外向きに延びている。第一の締結部材４２は、輸送及び保管のために格納されるのが好ましい。格納設計構成は、保管に必要な空間を低減させ、締結装置が不注意に損傷するのを防ぐために設計される。第一のタブ幅６６及び第二のタブ幅５６が図１に示される。
【００３７】
図３は、格納状態時の第一の締結部材４２の分解側面図である。第一の締結部材４２の要素が、参照される要素をよりよく識別するために、分離が誇張されて図３に示される。図３に示すように、第一のタブ５１は、第一のタブの内側表面５２と、第一のタブの外側表面５３と、第一のタブの締結要素５４と、第一のタブの長さ５５とを含む。第一のタブの外側表面５３は、第一のタブの内側表面５２の反対側であり、一般に図１で読者から遠い側である。第一のタブの内側表面５２は、図１で読者に面する表面に対応し、一般に物品の内側表面２７１に対応する。これら表面の側面図が図３に示される。第一のタブの締結要素５４は、図３に示すように、第一のタブの内側表面５２に接合されている。第一のタブの締結要素５４は、接着剤、粘着剤、フック材料、ループ材料、スナップ、ボタン、タブ、スロット、磁石、及びこれらの組合せを含めて、当技術分野で既知のいかなる締結要素をも含むことができる。第一のタブの締結要素５４は、円形、正方形、長方形、又は三角形など、いかなる形状を有してもよい。
【００３８】
図３に示すように、第二のタブ６１は、第二のタブの内側表面６２と、第二のタブの外側表面６３と、第二のタブの締結要素６４と、第二のタブの長さ６５とを含む。第二のタブの内側表面６２は、図１で読者に面する表面に対応し、その一部が図１で第一のタブ５１から横方向軸線１１０に沿って外向きに見ることができる。図１及び図２において、格納されていない第一の締結部材４２は、第一のタブ５１の下側に配置された残りの第二のタブの内側表面５２の少なくとも一部を有する。第二のタブの外側表面６３は、第二のタブの内側表面６２の反対側であり、一般に図１で読者から遠い側であり、図３で示される。第二のタブの締結要素６４は、図３に示すように、第二のタブの内側表面６２に接合されている。第二のタブの締結要素６４は、接着剤、粘着剤、フック材料、ループ材料、スナップ、ボタン、タブ、スロット、磁石、及びこれらの組合せを含めて、当技術分野で既知のいかなる締結要素をも含むことができる。第二の締結要素５４は、円形、正方形、長方形、又は三角形など、いかなる形状を有してもよい。
【００３９】
第一のタブ５１及び第二のタブ６１は、第一の腰部区域３６内のどの場所に位置してもよい。第一のタブ５１は、好ましくは、第一のタブの外側表面５３が図３に示すように第二のタブの内側表面６２に面するように、第二のタブ６１の直接下側に位置することができる。この配置の側面図が図３に示される。第一のタブの長さ５５及び第二のタブの長さ６５は、同一の出発点から横方向軸線に沿って外向きに測定する。出発点はどの場所でもよい。１つの出発点は、図１に示すように、タブが始まるバックシート２６の横方向に最も外側の点とすることができる。第一のタブの長さ５５は、第二のタブの長さ６５より長くても、短くても、又は等しくてもよい。好ましくは、第一のタブの長さ５５は、第二のタブの長さ６５より短い。第一のタブの長さ５５をより短くすると、第一の締結部材４２の製造及び／又は使用者の取扱いが容易になり得る。
【００４０】
締結装置４１は、図１に示すように、少なくとも１つの格納されたランディング領域４５を含むことができる。格納されたランディング領域４５は、使用前の第一の締結部材４２を格納場所に固定するために使用される。格納されたランディング領域４５は、物品の内側表面２７１の上に位置してもよいし、物品の外側表面２６１の上に位置してもよい（図２参照）。好ましくは、格納されたランディング領域４５は、第一の締結部材４２と同一の腰部区域内に位置する。やはり好ましくは、格納されたランディング領域４５は、図１に示すように、第一の腰部区域３６内の物品の内側表面２７１上で、横方向軸線１１０に沿って第一の締結部材４２の内側に位置する。格納されたランディング領域４５は、プラスチック、接着剤、粘着剤、フック材料、ループ材料、スナップ、ボタン、タブ、スロット、磁石、及び当業者に既知のこれらの組合せを含むことができる。格納されたランディング領域４５は、円形、正方形、長方形、又は三角形など、いかなる形状を有してもよい。
【００４１】
図３は、第一の締結部材４２を、格納された使用前の状態の分解側面図で示す。要素の分離が誇張されているため、様々な構成要素間の開放可能な結合の描写を目で見ることができる。それらの結合は、所望のように機能するために十分に強く、しかし、物品使用の様々な時点で使用者が結合を解いて要素を分離できる程度に弱く設計される。これらの構成要素間の開放可能な結合強度は、締結装置４１の使用中に助けとなる好ましい関係を有するように設計される。所望の開放可能な結合強度は、幾つかの手段によって提供することができる。
【００４２】
開放可能なタブ対タブ結合８１は、第一のタブ５１と第二のタブ６１との間に作用するように設計される。開放可能なタブ対タブ結合８１は、第一のタブ５１、第二のタブ６１、又は両方の上のどこに位置してもよい。図３に示すように、開放可能なタブ対タブ結合８１は、第二のタブの内側表面６２及び第一のタブの外側表面５３の上に位置する。あるいは、開放可能なタブ対タブ結合８１の少なくとも一部は、第一のタブの外側表面５３の上、第二のタブの締結要素６４の上、又は両方の上にあってもよい。開放可能なタブ対タブ結合８１は、接着剤、粘着剤、フック材料、ループ材料、スナップ、ボタン、タブ、スロット、磁石、及び当業者に既知のこれらの組合せで作り出すことができる。タブ対タブ結合８１はまた、超音波、圧力、又は熱エネルギーにより作り出される結合のような機械的な結合であってもよい。開放可能なタブ対タブ結合８１は、円形、正方形、長方形、又は三角形など、いかなる形状を有してもよい。
【００４３】
開放可能なタブ対タブ結合８１は、開放可能なタブ対タブ結合８１を開放して第一のタブ５１と第二のタブ６１とを分離させるのに必要な荷重である開放荷重を有する。開放荷重はまた、結合強度とも呼ばれる。分離は、第一のタブの外側表面５３と第二のタブの内側表面６１との間で生じるように設計される。一般に、開放荷重は、締結装置４１が通常どのように使用されて開放されるかに関連して測定されるべきである。これにより、開放荷重が物品の内側表面２７１の平面からいかなる角度にもおける剥離荷重として測定されるべきであることが示唆される。開放可能なタブ対タブ結合８１は最初の開放の間に最も強い開放荷重を有するように設計されているので、剥離荷重は、タブ対タブ結合の開放荷重の最初の開放に関して１回だけ測定されるべきである。
【００４４】
開放可能な格納締結結合８２は、格納されたランディング領域４５と第一の締結部材４２との間で作用するように設計される。開放可能な格納締結結合８２は、図３に示すように、格納されたランディング領域４５と第一のタブの締結要素５４との間で作用することができる。開放可能な格納締結結合８２はまた、格納されたランディング領域４５と、第一のタブの内側表面５２か、第一のタブの締結要素５４か、第二のタブの内側表面６２か、第二のタブの締結要素６４か、又はこれらの組合せとの間で作り出されてもよい。開放可能な格納締結結合８２は、接着剤、粘着剤、フック材料、ループ材料、スナップ、ボタン、タブ、スロット、磁石、及びこれらの組合せで作り出すことができる。開放可能な格納締結結合８２はまた、超音波、圧力、又は熱エネルギーにより作り出される結合のような機械的な結合であってもよい。開放可能な格納締結結合８２は、円形、正方形、長方形、又は三角形など、いかなる形状を有してもよい。
【００４５】
開放可能な格納締結結合８２は、第一の締結部材４２を格納されたランディング領域４５から開放するのに必要な荷重である開放荷重を含む。好ましくは、開放可能な格納締結結合の開放荷重は、約５０グラム力（ｇｆ）より大きい。約５０ｇｆより大きい開放可能な格納締結結合の開放荷重は、製造及び包装の間、並びに消費者による使用の前に、第一の締結部材４２を適切な位置に保持するのを助けるように設計されている。一般に、開放可能な格納締結結合の開放荷重は、開放可能なタブ対タブ結合の開放荷重よりも小さくすべきである。したがって、第一の締結部材４２を格納されたランディング領域４５から持ち上げる時に、開放可能なタブ対タブの結合８１を損なわずに、第一のタブ５１と第二のタブ６１とを一緒に持ち上げることができる。第一のタブ５１と第二のタブ６１とを開放可能に結合して、物品装着過程のこの時点で連結されたままであることが、一般に締結装置４１及び特に第一のタブ５１の使用の容易さを改善するように設計されている。
【００４６】
締結過程の間に使用者が第一の締結部材４２を把持するのを助けるために、第一の締結部材４２は、図１及び図３に示すような把持手段７２を備えてもよい。把持手段７２は、第一の締結部材４２上のどこに接合されてもよい。好ましくは、把持手段７２は、第二のタブ６１に接合されることができる。把持手段７２は、当技術分野で既知のいかなる手段を含んでもよい。好適な例として、格納されたランディング領域４５に結合していない、容易に持ち上げ可能な材料の小さな延長部が挙げられる。別の好適な例として、第二のタブの外側表面６３上の接着性又は粘着性の材料が挙げられる。当技術分野で既知のいかなる接着性又は粘着性の材料も認容される。
【００４７】
図１に示すように、締結装置は、第二の締結部材４４を含むことができる。第二の締結部材４４は、第二の腰部区域３８に接合されるように設計される。図４に示すように、第二の締結部材４４は、物品の外側表面２６１上に位置するように設計され、少なくとも１つの付着ランディング領域９１を含むことができる。第二の締結部材４４と付着ランディング領域９１とが同等であって、機能的に区別できない実施形態が検討される。一実施形態では、第二の締結部材４４はバックシート２６であってもよい。付着ランディング領域９１は、第一のタブの締結要素５４及び第二のタブの締結要素６４が固着する、第二の締結部材４４上の場所（単数又は複数）である。第一のタブの締結要素５４及び第二のタブの締結要素６４は、付着ランディング領域９１と操作可能に固定する締結係合を提供するように構成されている。第二の締結部材４４は、図２、５、６Ａ、及び６Ｂに示すように、第一の腰部区域３６の少なくとも一部を第二の腰部区域３８の少なくとも一部と接合させるための、第一の締結部材４２用の好ましい固着点であるように設計される。付着ランディング領域９１は、プラスチック、接着剤、粘着剤、フック材料、ループ材料、スナップ、ボタン、タブ、スロット、磁石、及び当業者に既知のこれらの組合せを含めて、当技術分野で既知のいかなる締結要素をも含むことができる。第一のタブの締結要素５４と締結するように設計されている付着ランディング領域９１は、第二のタブの締結要素６４と締結するように設計されている付着ランディング領域９１とは異なるループ材料を含んでもよい。付着ランディング領域９１は、円形、正方形、長方形、又は三角形など、いかなる形状を有してもよい。付着ランディング領域９１はまた、第二の腰部区域上の２つ以上の場所に位置してもよい。
【００４８】
第一のタブ５１と第二の締結部材４４は、使用者により共に締結するように設計される。好ましくは、第一のタブの締結要素５４と付着ランディング領域９１とは、図４に示すように、開放可能な結合で締結される。図４は、第二の締結部材４４に関して配備された位置にある時の第一の締結部材４２を分解側面図で示す。要素の分離が誇張されているため、締結した配置にある様々な構成要素の描写を目で見ることができる。開放可能な結合は、所望のように機能するために十分に強く、しかし、物品使用の様々な時点で使用者が結合を解いて要素を分離できる程度に弱く設計される。開放可能な結合は、締結装置４１の使用を助ける好ましい関係を有するように設計されたこれらの構成要素間に、開放荷重を有する。第一のタブの締結要素５４と付着ランディング領域９１が締結される時、図４に示すように、第一のタブの締結要素５４と付着ランディング領域９１との間の第一の開放可能な締結結合８３が作り出される。第一の開放可能な締結結合８３は、接着剤、粘着剤、フック材料、ループ材料、スナップ、ボタン、タブ、スロット、磁石、及びこれらの組合せで作り出すことができる。第一の開放可能な締結結合８３はまた、超音波、圧力、又は熱エネルギーにより作り出される結合のような機械的な結合であってもよい。第一の開放可能な締結結合８３は、円形、正方形、長方形、又は三角形など、いかなる形状を有してもよい。
【００４９】
第一の開放可能な締結結合８３は、第一の開放可能な締結結合８３を開放して第一のタブの締結要素５４と付着ランディング領域９１とを分離させるのに必要な荷重である開放荷重を有する。好ましくは、第一の開放可能な締結結合の開放荷重は、開放可能なタブ対タブ結合の開放荷重より大きい。第一の開放可能な締結結合の開放荷重がより大きいと、第一のタブ５１を付着ランディング領域９１との係合から離すことなく、第一のタブ５１と第二のタブ６１とが分離可能なように設計される。
【００５０】
使用者は、第一のタブ５１と付着ランディング領域９１とを締結した後で、第二のタブの締結要素６４と付着ランディング領域９１とを締結して、第二の開放可能な締結結合８４を作り出すことができる。第二の開放可能な締結結合８４は、接着剤、粘着剤、フック材料、ループ材料、スナップ、ボタン、タブ、スロット、磁石、及びこれらの組合せで作り出すことができる。第二の開放可能な締結結合８４は、円形、正方形、長方形、又は三角形など、いかなる形状を有してもよい。
【００５１】
第二の開放可能な締結結合８４は、第二の開放可能な締結結合８４を開放して第二のタブの締結要素５４と付着ランディング領域９１とを分離させるのに必要な荷重である開放荷重を有する。一実施形態では、第二の開放可能な締結結合の開放荷重は、第一の開放可能な締結結合の開放荷重以上である。第二の開放可能な締結結合の開放荷重がより大きいと、物品２０を使用中に着用者上の所望の位置に保持するのを助けることができる。第二のタブの締結要素６４と付着ランディング領域９１とが締結された後、第一のタブの締結要素５４と付着ランディング領域９１も固着したままであることができる。あるいは、第一のタブの締結要素５４と付着ランディング領域９１は、第二のタブの締結要素６４と付着ランディング領域９１が締結された後いつでも開放され係合解除されることができる。
【００５２】
本発明の一実施例では、好適な結合関係は、ミネソタ州セントポール（St Paul,Minnesota）の３Ｍ社（3M Inc.）により供給されるＫＮ１５４３剥離テープを第一のタブ５１として、及び同社より供給されるＫＮ１７７０締結テープを第二のタブ６１として使用し、作り出すことができる。ＫＮ１５４３の剥離表面が、ＫＮ１７７０の接着性表面に開放可能に結合して、開放可能なタブ対タブの結合８１を形成する。ノースカロライナ州シャーロット（Charlotte,NC）のアプリックスＵＳ（Aplix U.S.）により供給されるフック材料９６０Ｅが、第一のタブの締結要素５４及び第二のタブの締結要素６４用のフック材料として使用できる。３Ｍのループ材料ＸＰＬ００００８は、第二の締結部材４４として使用できる。アプリックス（Aplix）のフック材料９６０Ｅ及びＫＮ１５４３の接着性表面は、格納されたランディング領域４５に開放可能に結合して開放可能な格納締結結合８２を形成する。
【００５３】
製品を着用者の周りに装着する間に、第一の締結部材４２を、図１の右側及び図２に示すように、格納されたランディング領域４５から分離させることができる。次に、使用者は、物品２０を着用者に装着する幾つかの手段のうち１つを選定することができる。物品２０を装着する１つの手段は、未締結の物品２０を着用者の所望の腰部位置へ置き、開放可能なタブ対タブ結合８１を開放せずに物品２０を第二のタブの締結要素６４で適切な場所へ固定することを含むことができる。あるいは、使用者は、物品２０を所望する着用者の腰部位置の近くに置いて、第一の締結要素５４を付着ランディング領域９１に固着させてもよい。次に、使用者は、物品２０の位置を所望のように微調整して、第二のタブの締結要素６４を付着ランディング領域９１に締結させることにより、物品２０を着用者の所望の腰部位置に固定的に締めることができる。着用者の所望の腰部位置は、概ね着用者のヒップの約２５ｃｍ上又は下の範囲内であり、かつ腰周りである。より好ましくは、所望の着用者の腰部位置は、概ね着用者のヒップの約１０ｃｍ上又は下の範囲内であり、かつ腰周りである。やはり別の方法としては、使用者は、着用者の脚部周りで第一の締結要素５４を付着ランディング領域９１に固着させて、図２に示すような１つ以上の脚部開口部１０を作り出してもよい。次に、使用者は、物品２０を通常のプルアップとして使用することができる。一旦物品２０が着用者の腰周りの所望の位置になると、次に、第二のタブの締結要素６４を付着ランディング領域９１に締結させて、適切な場所に固定することができる。
【００５４】
物品はまた、少なくとも１つの第一のタブの締結要素５４付着ランディング領域９１に事前締結し、図５に示すような少なくとも１つの脚部開口部を形成して、使用者に供給されることもある。第一のタブの締結要素５４は、接着剤、粘着剤、フック材料、ループ材料、スナップ、ボタン、タブ、スロット、磁石、及び当業者に既知のこれらの組合せで、付着ランディング領域９１に開放可能に事前締結することができる。第一のタブの締結要素５４はまた、超音波、圧力、又は熱エネルギーにより作り出される結合のような機械的な結合であってもよい。次に、使用者は、物品をプルアップとして使用することができる。あるいは、使用者は、事前締結した第一のタブの締結要素５４と付着ランディング領域と９１の連結を解いて、物品２０を上記のように使用してもよい。少なくとも１つの第一のタブの締結要素５４はまた、超音波、ボンド、熱接着、接着剤、粘着剤、フック材料、ループ材料、スナップ、ボタン、タブ、スロット、磁石、及び当業者に既知のこれらの組合せで、第二の締結部材及び／又は付着ランディング領域９１に対して永久的に事前締結することができる。第一のタブの締結要素５４の１つだけを事前締結して、物品が着用者の脚部の１つでプルアップとして使用され、他方の脚部の上では装着過程の間に締結されて締められる実施形態が検討される。
【００５５】
図５に示すように、少なくとも１つの第一のタブの締結要素５４と付着ランディング領域９１とを締結させる時、第一の腰フープ寸法１１を有する物品腰部３５が形成される。第一の腰フープ１１は、第一の腰フープ張力を有する。一般に、第一の腰フープ寸法は、図５及び図６Ａに示す目標腰フープ寸法１２として本明細書で定義する、着用者の腰寸法に相当してもしなくてもよい。
【００５６】
図６ａに示すように、少なくとも１つの第二のタブの締結要素６４と付着ランディング領域９１とを締結させる時、第二の腰フープ寸法１３を有する物品腰部３５が形成される。第二の腰フープ１３は、第二の腰フープ張力を有する。一般に、第二の腰フープ寸法は、図５及び図６Ａに示す目標腰フープ寸法１２として本明細書で定義する、着用者の腰寸法にほぼ相当する。
【００５７】
締結装置は、物品２０の他の要素と連携して働いて物品腰部３５を作り出すが、これは異なる構成に組み立てることもできる。物品は、第一の腰フープ寸法１１及び第二の腰フープ寸法１３を有し、これらは同一でも異なってもよい。物品２０はまた、第一の腰フープ張力及び第二の腰フープ張力を有し、これらは同一でも異なってもよい。好ましくは、第二の腰フープ１３は、第一の腰フープ１１より小さい。やはり好ましくは、第二の腰張力は、第一の腰張力より大きい。これによって、製品装着の容易さを改善し、その上、製品が着用中に確実に適切な場所にとどまることを保証する。
【００５８】
第一の腰フープ張力のレベルは、第二の腰フープ張力のレベルより低い。これによって、製品が第一の腰フープ張力のレベルで構成されている間は、製品を容易に引き上げることが可能になり、さらに第二の腰フープ張力のレベルにおいては、着用中に確実に適切な場所に残ることができる。
【００５９】
第一の腰フープ張力のレベルは、第一の腰フープ寸法１１においては、約０グラム力（ｇｆ）又はそれ以上とすることができる。好ましくは、第一の腰フープ張力対第二の腰フープ張力の比は、約０〜約０．９である。
【００６０】
第一の腰フープ寸法１１と第二の腰フープ寸法１３が異なる実施形態では、第一の腰フープ寸法１１と第二の腰フープ寸法１３との間の差が大き過ぎないことが好ましい。差が大き過ぎる場合には、第一の腰フープ寸法１１と第二の腰フープ寸法１３との間の切替えに際し、過度の量の材料が使用者により集められることになる。これにより使用の容易さが妨げられる。好ましくは、第二の腰フープ寸法１３と第一の腰フープ寸法１１との間の腰フープ寸法の比は、約０．５５〜約０．９５である。
【００６１】
図６Ｂは、係合した締結装置４１の一実施形態のクローズアップした側面図である。第一の締結部材４２及び第二の締結部材を、係合に関して相互関連させて示す。第一のタブ５１は、僅かに分解して付着ランディング領域９１に関連する第一のタブの締結要素５４を有する。第二のタブ６１と第二のタブの締結要素６４も、僅かに分解して付着ランディング領域９１に関連させる。
【００６２】
第一の腰部区域３６及び第二の腰部区域３８は、約２０グラム力／ｃｍ以上の荷重で約１０％を超えるエラストマー性又は延伸性があってもよい。弾性又は延伸性は、吸収性物品を引き上げる及び／又は締め付けるのを助けるように設計される。
【００６３】
第一の腰部区域３６及び第二の腰部区域３８は、固着される物品の部分を区別するために本明細書で使用している。簡単化のために、第一の締結部材４２は第一の腰部区域３６に接合しているとして本明細書で記述され、第二の締結部材４４は第二の腰部区域３８に接合しているとして本明細書で記述されている。しかしながら、この２つの区域及び２つの締結部材は一般的に互換性があり、例えば代替実施形態では、第二の締結部材が第一の腰部区域上に位置することもできる。本発明は、多数の製品形態に対して容易に適合可能であり、添付の請求項において本発明の範囲内にあるそのような全ての変形及び変更を包含することを意図している。
【図面の簡単な説明】
【００６４】
本明細書は、本発明を形成するとみなす主題を特に指摘し明確に請求する請求項にて結論とするが、本発明は、添付図と関連づけて行なう以下の説明によってよりよく理解されると考えられ、添付図において同様の数字表記は実質的に同一の要素を示すのに使用される。
【図１】平らに広げられて収縮していない状態で吸収性物品の身体に面する表面が読者に向いている、吸収性物品の一実施形態の平面図である。
【図２】吸収性物品の一実施形態の斜視図である。
【図３】格納した時の締結装置及び結合の一実施形態の、拡大して分解分離した側面図である。
【図４】締結した時の締結装置及び結合の一実施形態の、拡大して分解分離した側面図である。
【図５】締結された第一のタブが第一の物品の外周を形成する、吸収性物品の一実施形態の平面断面図である。
【図６Ａ】締結された第二のタブが第二の物品の外周を形成する、吸収性物品の一実施形態の平面断面図である。
【図６Ｂ】物品締結装置の一実施形態の側面図である。
【図１】
2005510295.tif 000003
【図２】
2005510295.tif 000004
【図３】
2005510295.tif 000005
【図４】
2005510295.tif 000006
【図５】
2005510295.tif 000007
【図６Ａ】
2005510295.tif 000008
【図６Ｂ】
2005510295.tif 000009
【国際調査報告】
2005510295.tif 000010
2005510295.tif 000011